(57)【要約】      （修正有）【課題】贈答品のタオルを小物品を収納する包装箱の装飾に使用したタオルによる装飾を施した包装箱を提供する。【解決手段】蓋体３を有する筒状箱と装飾と贈答品を兼ねたタオル６とから構成する。筒状箱の蓋体は側壁高さを下箱の側壁より高くして筒状箱の上面開口を塞ぐように装着する。タオルは長さが蓋体の断面周長より長く、横幅は蓋体の側壁高さに蓋体の上面最大径の１／２を加えた値より大きい幅に形成し、蓋体の側壁外面に巻き付けた状態でその上に布紐８を巻き付けて固定する。蓋体の側壁上方にはみ出したタオルの横幅部分は蓋体上面中央部に絞り束ねて基部を第２の布紐９にて縛り固定する。【選択図】図２
0003164179.tif 000002
【実用新案登録請求の範囲】
【請求項１】
タオルによる装飾を施した包装箱であって、筒状箱と、装飾と贈答品を兼ねるタオルとから構成され、
前記筒状箱は上面が開口した筒状の下箱と、該下箱の側壁より高い側壁を有する筒状蓋体からなり、
前記タオルは長さを前記蓋体の断面周長より長く、横幅を蓋体の側壁高さに蓋体の上面最大径の１／２を加えた値より大きい幅に形成し、蓋体の側壁外面に巻き付けた状態でその上に布紐を巻き付けて固定し、該状態にて蓋体の側壁上方にはみ出した横幅部分を蓋体上面中央部に絞り束ねて基部を第２の布紐にて縛り固定してあることを特徴とするタオルによる装飾を施した包装箱。
【請求項２】
タオルによる装飾を施した包装箱であって、筒状の蓋体と、該蓋体の下面開口部に装着するトレイ状底板と、装飾と贈答品を兼ねるタオルとから構成され、
前記筒状の蓋体は厚紙で形成して側壁下縁は内側に折り曲げてボトムカールが形成してあり、
前記トレイ状底板は厚紙を前記筒状蓋体と同じ断面形状にして中央に指の入る孔が形成してあり、前記蓋体に装着する際は蓋体の下面開口部とトレイ状底板周辺部を変形させながら押し込み、トレイ状底板を取り外す際は前記孔に指を入れて外方に引くことにより蓋体の下面開口部とトレイ状底板周辺を変形させながら取り外すように計画されており、
前記タオルは長さが前記蓋体の断面周長より長く、横幅は蓋体の側壁高さに蓋体の上面最大径の１／２を加えた値より大きい幅に形成し、蓋体の側壁外面に巻き付けた状態でその上に布紐を巻き付けて固定し、該状態にて蓋体の側壁上方にはみ出した横幅部分を蓋体上面中央部に絞り束ねて基部を第２の布紐にて縛り固定してあることを特徴とするタオルによる装飾を施した包装箱。
【考案の詳細な説明】
【技術分野】
【０００１】
本考案は、贈答品としてのタオルで装飾を施した包装箱に関する。
【背景技術】
【０００２】
結婚式の引出物や開店祝いの記念品としてタオルが贈られることがある。この場合のタオルの包装の仕方としては、色違いのタオルをロール形状等に折り畳んで化粧箱に納めるのが簡単であるが、それでは美観を重視する祝い事の記念品とするには代わり映えせず面白みに欠ける。このため贈られた側が面白みを感じ、暫くは実用的に使用するのを躊躇するような装飾を施すことが行なわれようになってきた。
【０００３】
装飾法としては、例えばタオルを逢着、ピン留め等によりケーキ、人形、動物等の形にし、観賞価値があるように美しく装飾する方法がある（例えば、特許文献１〜３参照）。しかし、タオルだけでは結婚式の引出物や開店祝いの記念品としては不十分で、一緒にケーキ、菓子、食品、小物品等を贈りたい場合も多い。このため、タオルとそれら品物を体裁よく包装できる包装法が求められる。
【先行技術文献】
【特許文献】
【０００４】
【特許文献１】実用新案登録第３０３１６６８号
【特許文献２】実開平３−３９４８８号公報
【特許文献２】実開平３−２２７９５号公報
【考案の開示】
【考案が解決しようとする課題】
【０００５】
本考案は、こうした背景からなされたもので、その課題は、贈答品としてのタオルを、小物品を収納する包装箱の装飾に使用した包装箱を提供することにある。
【課題を解決するための手段】
【０００６】
前記課題を解決するための請求項１に記載の考案は、タオルによる装飾を施した包装箱であって、筒状箱と、装飾と贈答品を兼ねるタオルとから構成され、筒状箱は上面が開口した筒状の下箱と、該下箱の側壁より高い側壁を有する筒状蓋体からなり、タオルは長さを蓋体の断面周長より長く、横幅を蓋体の側壁高さに蓋体の上面最大径の１／２を加えた値より大きい幅に形成し、蓋体の側壁外面に巻き付けた状態でその上に布紐を巻き付けて固定し、該状態にて蓋体の側壁上方にはみ出した横幅部分を蓋体上面中央部に絞り束ねて基部を第２の布紐にて縛り固定してあることを特徴とするタオルによる装飾を施した包装箱である。
【０００７】
美しいタオルで飾られたこのような構成の包装箱は華やかであり、美観を重視する祝い事の記念品を収納する包装箱として好適である。受け取った側は記念品を収納したまま飾っておくことができるし、記念品を取り出した後には別の物品の飾り収納箱としても使用できる。収納箱として使用しない場合は、解体して普通のタオルとして使用できる。
【０００８】
また、請求項２に記載の考案は、タオルによる装飾を施した包装箱であって、筒状の蓋体と、該蓋体の下面開口部に装着するトレイ状底板と、装飾と贈答品を兼ねるタオルとから構成され、筒状の蓋体は厚紙で形成して側壁下縁は内側に折り曲げてボトムカールが形成してあり、トレイ状底板は厚紙を筒状蓋体と同じ断面形状にして中央に指の入る孔が形成してあり、蓋体に装着する際は蓋体の下面開口部とトレイ状底板周辺部を変形させながら押し込み、トレイ状底板を取り外す際は前記孔に指を入れて外方に引くことにより蓋体の下面開口部とトレイ状底板周辺を変形させながら取り外すように計画されており、タオルは長さが蓋体の断面周長より長く、横幅は蓋体の側壁高さに蓋体の上面最大径の１／２を加えた値より大きい幅に形成し、蓋体の側壁外面に巻き付けた状態でその上に布紐を巻き付けて固定し、該状態にて蓋体の側壁上方にはみ出した横幅部分を蓋体上面中央部に絞り束ねて基部を第２の布紐にて縛り固定してあることを特徴とするタオルによる装飾を施した包装箱である。
【０００９】
このような構成の包装箱も請求項１記載の包装箱と同様の効果を奏する。
【図面の簡単な説明】
【００１０】
【図１】第１の実施形態に係る包装箱１の外観斜視図である。
【図２】包装箱１の縦断面図である。
【図３】包装箱１の箱本体である筒状箱２の構成図である。
【図４】タオル６の蓋体３への取り付け方を示す図である。
【図５】包装箱１を開けた状態の縦断面図である。
【図６】第２の実施形態に係る包装箱１ａの筒状箱２ａの構成図である。
【図７】包装箱１ａの縦断面図である。
【図８】包装箱１ａを開けた状態の縦断面図である。
【考案を実施するための形態】
【００１１】
以下、本考案に係るタオルによる装飾を施した包装箱の構成を実施形態に分けて説明する。
（第１の実施形態）
図１は第１の実施形態に係るタオルによる装飾を施した包装箱１の外観斜視図、図２はその縦断面図、図３は包装箱１の箱本体である筒状箱２の構成図である。包装箱１は、図３に示す筒状箱２の蓋体３部分にタオル６による装飾を施したものである。タオル６は装飾と贈答品を兼ねて用いてある。なお、本実施形態の筒状箱２は断面形状を円形にしてあるが、断面形状は三角形、四角形、五角形、六角形、八角形等にしてもよい。
【００１２】
筒状箱２は、上面が開口した筒状の下箱４に蓋体３を上方より被せる形式である。蓋体３の側壁高さは下箱４の側壁より高くしてあり、被せた状態では下箱４の外側面は蓋体３に覆われる。
【００１３】
タオル６は、蓋体３の外側面と上面を覆うように取り付けられている。図４はタオル６の蓋体３への取り付け方を示す図である。使用するタオル６としては、長さが蓋体３の円周長さより長く、横幅が蓋体３の側壁高さに蓋体３の上面半径を加えた値より大きい幅のものを用いる。横幅方向を二つ折りし、折り目を蓋体３の側壁下縁に沿わせるようにして蓋体３の外側面に巻き付け、その上に布紐８を巻き付けて固定する。蓋体３の側壁上方にはみ出した横幅部分は蓋体３の上面中央部に絞り束ね、基部を第２の布紐９にて縛り固定する。
【００１４】
タオル６は布紐８により蓋体３の側壁外面にのみ固定してあるので、タオル６を蓋体３に固定したままの状態で筒状箱２を図５に示すように開けることができる。下箱４に贈答用の小物物品１０を入れ、タオル６で飾った蓋体３を被せ、必要に応じて下箱４と蓋体３との間をシール等で固定して贈答する。美しいタオル６で飾られた包装箱１は華やかであり、美観を重視する祝い事の記念品を収納する包装箱として好適である。受け取った側は、記念品を収納したまま飾っておくことができるし、記念品を取り出した後には別の物品の飾り収納箱としても使用できる。収納箱として使用しない場合は、解体して普通のタオルとして使用できる。
【００１５】
（第２の実施形態）
本実施形態の包装箱１ａは、第１の実施形態の包装箱１における筒状箱２を図６に示すような構成の筒状箱２ａに置き換えたものである。包装箱１ａの外観は図１に示したものと同じである。筒状箱２ａは、筒状の蓋体１２とその蓋体１２の下面開口部に装着されるトレイ状底板１３とからなる。図７は包装箱１ａの縦断面図である。なお、本実施形態の筒状箱２ａは断面形状を円形にしてあるが、断面形状は三角形、四角形、五角形、六角形、八角形等にしてもよい。
【００１６】
筒状の蓋体１２は、厚紙で形成して側壁下縁は内側に折り曲げてボトムカール１６が形成してある。トレイ状底板１３は厚紙を円板状にして中央に指の入る孔１７が形成してある。トレイ状底板１３を蓋体１２の下面開口部に装着する際は、蓋体１２の下面開口部とトレイ状底板１３の周辺部を変形させながらトレイ状底板１３を押し込む。トレイ状底板１３を取り外す際は、孔１７に指を入れて外方に引き、蓋体１２の下面開口部とトレイ状底板１３の周辺部を変形させながら取り外す。
【００１７】
本実施形態の包装箱１ａも、タオル６は布紐８により蓋体１２の側壁外面にのみ固定してあるので、タオル６を蓋体１２に固定したままの状態で筒状箱２ａを図８に示すように開けることができる。トレイ状底板１３の上に贈答用の小物物品１０を載せ、タオル６で飾った蓋体１２を取り付ける。美しいタオル６で飾られた包装箱１は華やかであり、美観を重視する祝い事の記念品を収納する包装箱として好適である。受け取った側は、記念品を収納したまま飾っておくことができるし、記念品を取り出した後には別の物品の飾り収納箱としても使用できる。収納箱として使用しない場合は、解体して普通のタオルとして使用できる。
【符号の説明】
【００１８】
図面中、１、１ａは包装箱、２、２ａは筒状箱、３、１２は蓋体、６はタオル、８は布紐、９は第２の布紐、１３はトレイ状底板、１６はボトムカール、１７は孔を示す。
【図１】
0003164179.tif 000003
【図２】
0003164179.tif 000004
【図３】
0003164179.tif 000005
【図４】
0003164179.tif 000006
【図５】
0003164179.tif 000007
【図６】
0003164179.tif 000008
【図７】
0003164179.tif 000009
【図８】
0003164179.tif 000010